(57)【要約】  画像に関する情報を提供する画像情報提供装置としての情報端末３００は、外表面に複数の表示情報が付された所定対象１１０の画像が表示部３２０に表示された状態で所定対象１１０が画面上で選択された場合に、選択された所定対象１１０に付された複数の表示情報の中から当該選択にかかる選択位置と合致した領域にある表示情報を特定して、当該表示情報及び当該表示情報にリンクするリンク情報のうちの少なくとも一方の情報を出力する制御部３１０を含む。
2014002259.tif 000002
【特許請求の範囲】
【請求項１】
画像に関する情報を提供する画像情報提供装置であって、
外表面に複数の表示情報が付された所定対象の画像が表示部に表示された状態で前記所定対象が画面上で選択された場合に、選択された前記所定対象に付された前記複数の表示情報の中から当該選択にかかる選択位置と合致した領域にある表示情報を特定して、特定した表示情報及び当該表示情報にリンクするリンク情報の少なくとも一方の情報を出力する制御部を含む、画像情報提供装置。
【請求項２】
請求項１に記載の画像情報提供装置であって、
前記制御部は、前記所定対象の画像が前記表示部に表示されたときに前記所定対象及び前記複数の表示情報の双方に関する情報を取得して、前記選択位置と合致した領域にある表示情報を特定する、画像情報提供装置。
【請求項３】
請求項１に記載の画像情報提供装置であって、
前記制御部は、前記所定対象の画像が前記表示部に表示されたときに前記所定対象に関する情報を取得し、その後に前記所定対象が前記表示部の画面上で選択されたときに前記複数の表示情報に関する情報を取得して、前記選択位置と合致した領域にある表示情報を特定する、画像情報提供装置。
【請求項４】
請求項１〜３のうちのいずれか一項に記載の画像情報提供装置であって、
前記制御部は、前記所定対象に付された前記複数の表示情報のうち前記表示部の画面上で前記選択位置と合致した領域にある表示情報を特定する、画像情報提供装置。
【請求項５】
請求項１〜４のうちのいずれか一項に記載の画像情報提供装置であって、
前記制御部は、前記所定対象に付された前記複数の表示情報の中から前記表示部の画面上で前記選択位置と合致した領域にある表示情報が特定できない場合に、前記複数の表示情報とは別の情報を出力する、画像情報提供装置。
【請求項６】
画像に関する情報を提供する画像情報提供装置であって、
外表面に前記複数の表示情報が付された所定対象の画像が表示部に表示された状態で前記所定対象が画面上で選択された場合に、選択された前記所定対象の画面上での視認性に応じて前記複数の表示情報の出力態様を変更する制御部を含む、画像情報提供装置。
【請求項７】
請求項６に記載の画像情報提供装置であって、
前記制御部は、選択された前記所定対象の大きさが規定寸法を下回る場合に、前記所定対象の大きさが前記規定寸法を上回る場合よりも多くの表示情報を前記複数の表示情報の中から抽出して出力することで前記複数の表示情報の出力態様を変更する、画像情報提供装置。
【請求項８】
請求項６に記載の画像情報提供装置であって、
前記制御部は、選択された前記所定対象が表示部の中で占める画素数が規定数を下回る場合に、前記画素数が前記規定数を上回る場合よりも多くの表示情報を前記複数の表示情報の中から抽出して出力することで前記複数の表示情報の出力態様を変更する、画像情報提供装置。
【請求項９】
画像に関する情報を提供する画像情報提供装置であって、
外表面に動的な表示情報が付された所定対象の画像が表示部に表示された状態で前記所定対象が画面上で選択された場合に、前記所定対象における前記動的な表示情報の表示に関して予め設定されたスケジュールにしたがって当該所定対象の画像を前記表示部に出力する制御部を含む、画像情報提供装置。
【請求項１０】
請求項１〜９のうちのいずれか一項に記載の画像情報提供装置であって、
前記所定対象は路面を走行可能な車両であり、前記車両の外表面に前記表示情報が付されている、画像情報提供装置。
【請求項１１】
請求項１〜１０のうちのいずれか一項に記載の画像情報提供装置と、
前記所定対象の画像を表示可能な前記表示部と、
前記表示部に画像が表示された前記所定対象を画面上で選択操作可能な入力装置と、
を含む、画像情報提供システム。
【請求項１２】
請求項１１に記載の画像情報提供システムであって、
撮影装置によって撮影された前記所定対象の画像に関する情報を前記撮影装置からネットワークを介して受信して格納するデータベースを備える、画像情報提供システム。
【請求項１３】
画像に関する情報を提供するための画像情報提供方法であって、
外表面に複数の表示情報が付された所定対象の画像が表示部に表示された状態で前記所定対象が画面上で選択された場合に、選択された前記所定対象に付された前記複数の表示情報の中から当該選択にかかる選択位置と合致した領域にある表示情報を特定して、特定した表示情報及び当該表示情報にリンクするリンク情報の少なくとも一方の情報を出力する、画像情報提供方法。
【発明の詳細な説明】
【技術分野】
【０００１】
本発明は、ユーザに画像に関する情報を提供する技術に関する。
【背景技術】
【０００２】
下記特許文献１及び２にはいずれも、ユーザに動画に関する情報を提供する技術が開示されている。特許文献１に記載の動画再生装置は、動画上の対象がユーザによって選択された場合に、この対象に関連する情報をリンク先から取得して当該ユーザに提供するように構成されている。この動画再生装置によれば、選択される対象の種類によってユーザに提供される情報が変更される。また引用文献２に記載の動画提供装置では、動画上の対象にクリッカブル領域が設定されており、このクリッカブル領域がクリックされると、対象に関連した関連情報が表示される。
【先行技術文献】
【特許文献】
【０００３】
【特許文献１】特開２０１１−２５９１８４号公報
【特許文献２】特開２０１０−８１４９４号公報
【発明の概要】
【０００４】
ところで、車両のように移動を伴う対象の動画をユーザに提供する場合、車両の外表面に付されている表示情報（例えば、スポンサーや関連企業からの広告やメッセージ等）については、当該表示情報の動きが大きく、また当該表示情報の動きが多いため、当該表示情報をユーザが画面上で適切に認識できないおそれがある。特に、表示情報の数が多い場合や、表示情報の寸法が小さい場合、また表示情報が動画のような動的な表示情報である場合などに、このような問題がより顕著になる。また、動画に限らず静止画の場合であっても、対象に付されている表示情報が画面上で適切に認識できるのが好ましい。一方で、上記の特許文献１や特許文献２に記載の技術はいずれも、車両のような対象そのものを認識する技術であり、当該技術を適用したとしても、対象の外表面に付された表示情報をユーザが画面上で適切に認識できるようにするのは難しい。
【０００５】
そこで本発明は、上記の点に鑑みてなされたものであり、その目的の一つは、外表面に表示情報が付された所定対象の画像に関する適切な情報をユーザに提供するのに有効な技術を実現することである。
【０００６】
上記の目的を達成するために、本発明にかかる画像情報提供装置は、画像に関する情報を提供するための装置であって、制御部を含む。この画像情報提供装置（制御部）は、予め定められた所定対象の画像が配信される機器、例えば情報端末（携帯電話（スマートフォンを含む）、パーソナルコンピュータ（ＰＣ）等）や、車両に搭載されるナビゲーション装置などによって構成されてもよいし、或いは所定対象の画像を管理する情報管理センタによって構成されてもよい。
【０００７】
ここでいう「画像」には、動画（「動画像」又は「映像」ともいう）や静止画（「静止画像」ともいう）が包含される。制御部は、外表面に複数の表示情報が付された所定対象の画像が表示部に表示された状態で所定対象が画面上で選択された場合に、選択された所定対象に付された複数の表示情報の中から当該選択にかかる選択位置と合致した領域にある表示情報を特定する特定手段として構成される。この場合、表示部は、画像情報提供装置の構成要素であってもよいし、或いは画像情報提供装置とは別の装置の構成要素であってもよい。ここでいう「所定対象」として、例えば車両、人物、建物、看板、装飾品、動植物等が挙げられ、またここでいう「表示情報」として、例えば車両に付された広告、図形、文字等の情報や、スポーツ選手のユニフォームやゼッケン（ナンバータグ）に付された広告、図形、文字等の情報が挙げられる。この表示情報は、静的な表示情報（静止画）であってもよいし、或いは動的な表示情報（動画又は映像）であってもよい。また、「選択位置と合致した領域にある表示情報」なる記載については、この表示情報の占める領域が選択位置の全部又は一部と合致する態様が挙げられる。
【０００８】
更に、この制御部は、特定した表示情報及び当該表示情報にリンクするリンク情報（即ち、リンク先の情報）のうちの少なくとも一方の情報を提供する手段として構成される。この場合、制御部は、特定した表示情報とリンク情報の双方を出力してもよいし、或いは特定した表示情報とリンク情報のいずれか一方を出力してもよい。また、出力される情報は、所定対象の画像を表示する前記の表示部やその他の表示装置に表示出力されてもよいし、或いは当該表示出力に代えて又は加えて、スピーカ等を用いて音声出力されてもよい。
【０００９】
上記の構成に鑑みた場合、画像情報提供装置は、外表面に複数の表示情報が付された所定対象の画像が表示部に表示された状態で前記所定対象が画面上で選択されたか否かを認識する選択認識手段と、前記複数の表示情報に関する情報を取得する情報取得手段と、前記所定対象が選択されたことを前記選択認識手段が認識した場合に、前記取得手段が取得した情報を参照して前記選択にかかる選択位置に合致した領域にある表示情報を出力する出力手段と、を含む装置であるということもできる。
【００１０】
上記の画像情報提供装置によれば、外表面に表示情報が付された所定対象の画像に関する適切な情報をユーザに提供することができる。例えば、外表面に複数の表示情報が付された所定対象の場合、各表示情報を適切に特定して必要な情報をユーザに出力することができる。
【００１１】
本発明にかかる前記の画像情報提供装置では、制御部は、所定対象の画像が表示部に表示されたときに所定対象及び複数の表示情報の双方に関する情報を取得して、選択位置と合致した領域にある表示情報を特定する手段として構成されるのが好ましい。この場合、これらの情報は同時並行的に取得されてもよいし、或いは互いに時間的な間隔を隔てて取得されてもよい。これにより、表示部の画面上で所定対象が選択操作される前に複数の表示情報に関する情報を予め取得することで、取得した情報を所定対象の選択操作後の処理に速やかに使用することができる。
【００１２】
本発明にかかる前記の画像情報提供装置では、制御部は、所定対象の画像が表示部に表示されたときに所定対象に関する情報を取得し、その後に所定対象が表示部の画面上で選択されたときに複数の表示情報に関する情報を取得して、選択位置と合致した領域にある表示情報を特定する手段として構成されるのが好ましい。これにより、複数の表示情報に関する情報を予め読み込まなくてもよいため、当該情報を制御部に一時的に蓄積するのに必要なメモリ容量を抑えることができ、制御部の処理負荷を抑えることができる。
【００１３】
本発明にかかる前記の画像情報提供装置では、制御部は、所定対象に付された複数の表示情報のうち表示部の画面上で選択位置と合致した領域にある表示情報を特定する特定手段として構成されるのが好ましい。これにより、ユーザによる選択位置にある表示情報を正確に特定することができる。
【００１４】
本発明にかかる前記の画像情報提供装置では、制御部は、所定対象に付された複数の表示情報の中から表示部の画面上で選択位置と合致した領域にある表示情報が特定できない場合に、前記の複数の表示情報とは別の情報を出力する手段として構成されるのが好ましい。例えば、表示部の画面上で表示情報が選択位置と合致した領域にないとき、或いは不十分な選択操作がなされたときに、表示情報が正確に特定できない場合が生じる。これにより、ユーザの選択操作に見合った情報をユーザに適切に提供することができる。
【００１５】
本発明にかかる画像情報提供装置は、画像に関する情報を提供するための装置であって、制御部を含む。制御部は、外表面に複数の表示情報が付された所定対象の画像が表示部に表示された状態で所定対象が画面上で選択された場合に、選択された所定対象の画面上での視認性に応じて複数の表示情報の出力態様を変更する手段として構成される。例えば、画面上での所定対象の寸法が相対的に大きい場合や、画面上での所定対象の画素数が相対的に多い（或いは、所定対象の解像度が相対的に高い）場合に、所定対象の視認性が相対的に高いと判定することができる。これに対して、画面上での所定対象の寸法が相対的に小さい場合や、画面上での所定対象の画素数が相対的に少ない（或いは、所定対象の解像度が相対的に低い）場合に、所定対象の視認性が相対的に低いと判定することができる。そこで、画面上での所定対象の視認性が相対的に高い場合には、ユーザが所望の表示情報の選択を誤る可能性が低いため、複数の表示情報のうちユーザに提供する表示情報を減らして処理部の処理負荷を下げることが可能である。一方で、画面上での所定対象の視認性が相対的に低い場合には、ユーザが所望の表示情報の選択を誤る可能性が高いため、複数の表示情報のうちユーザに提供する表示情報を増やす必要がある。これにより、画面上での所定対象の視認性に応じた適切な情報をユーザに提供することができる。
【００１６】
本発明にかかる前記の画像情報提供装置では、制御部は、選択された所定対象の大きさが規定寸法を下回る場合に、所定対象の大きさが規定寸法を上回る場合よりも多くの表示情報を複数の表示情報の中から抽出して出力する手段として構成されるのが好ましい。所定対象の大きさに関して画面上での視認性が相対的に低い場合には、ユーザが所望する表示情報の選択を誤るおそれがあるが、この画像情報提供装置によれば、より多くの表示情報を出力することで、ユーザの意思に沿った情報提供が可能になる。
【００１７】
本発明にかかる前記の画像情報提供装置では、制御部は、選択された所定対象が表示部の中で占める画素数が規定数を下回る場合に、画素数が規定数を上回る場合よりも多くの表示情報を複数の表示情報の中から抽出して出力する手段として構成されるのが好ましい。所定対象の画素数に関して画面上での視認性が相対的に低い場合には、ユーザが所望する表示情報の選択を誤るおそれがあるが、この画像情報提供装置によれば、より多くの表示情報を出力することで、ユーザの意思に沿った情報提供が可能になる。
【００１８】
本発明にかかる画像情報提供装置は、画像に関する情報を提供するための装置であって、制御部を含む。制御部は、外表面に動的な表示情報が付された所定対象の画像が表示部に表示された状態で所定対象が画面上で選択された場合に、所定対象における動的な表示情報の表示に関して予め設定されたスケジュールにしたがって当該所定対象の画像を表示部に出力する手段として構成される。ここでいう「動的な表示情報」として典型的には、所定対象に取り付けられた表示装置に表示された動画や映像が挙げられる。このような動的な表示情報は、複数の表示情報の集合体として捉えることもできる。これにより、実際の所定対象で表示される動的な表示情報の表示スケジュールに同期させて、即ち所定対象において表示情報が動く適切なタイミングに合わせて、所定対象の画像を表示部に表示させることができる。
【００１９】
本発明にかかる画像情報提供装置では、前記の所定対象は路面を走行可能な車両であり、この車両の外表面に表示情報（複数の表示情報、或いは動的な表示情報）が付されているのが好ましい。ここで、所定対象が移動を伴う車両である場合、車両の外表面に付された表示情報については、当該表示情報の動きが大きく、また当該表示情報の動きが多いため、当該表示情報をユーザが画面上で適切に認識できないおそれがある。そこで、この画像情報提供装置によれば、車両の外表面に付された表示情報の動きが大きい場合や動きが多い場合においても、当該表示情報を適切に認識してユーザに情報提供することができる。
【００２０】
本発明にかかる画像情報提供システムは、前記の画像情報提供装置と、所定対象の画像を表示可能な表示部と、表示部に画像が表示された所定対象を画面上で選択操作可能な入力装置と、を含むのが好ましい。この画像情報提供システムによれば、外表面に表示情報が付された所定対象の画像に関する情報を表示部の画面上で適切に認識してユーザに提供することができる。
【００２１】
本発明にかかる画像情報提供システムは、撮影装置によって撮影された所定対象の画像に関する情報を撮影装置からネットワークを介して受信して格納するデータベースを備えるのが好ましい。この場合、撮影装置を画像情報提供システムの一構成要素にしてもよい。これにより、撮影装置によって撮影された所定対象の画像に関する情報をデータベースに格納することができる。
【００２２】
本発明にかかる画像情報提供方法は、画像に関する情報を提供するための方法である。この方法では、外表面に複数の表示情報が付された所定対象の画像が表示部に表示された状態で前記所定対象が画面上で選択された場合に、選択された前記所定対象に付された前記複数の表示情報の中から当該選択にかかる選択位置と合致した領域にある表示情報を特定して、特定した表示情報及び当該表示情報にリンクするリンク情報の少なくとも一方の情報を出力する。これにより、外表面に表示情報が付された所定対象の画像に関する適切な情報をユーザに提供することができる。例えば、外表面に複数の表示情報が付された所定対象の場合、各表示情報を適切に特定して必要な情報をユーザに出力することができる。
【図面の簡単な説明】
【００２３】
【図１】図１は、本発明にかかる画像情報提供システム１０の概略図である。
【図２】図２は、所定対象１１０の一例である車両Ｖ１の外観を示す斜視図である。
【図３】図３は、図２中の車両Ｖ１の初期画像登録処理について説明するための図である。
【図４】図４は、リンクデータの一例を示す図である。
【図５】図５は、本発明にかかる画像情報提供処理のフローチャートを示す図である
【図６】図６は、情報端末３００に配信された動画が表示部３２０に表示されている様子を示す図である。
【図７】図７は、図６中の動画上の車両Ｖ１をユーザが選択する際の選択操作について説明するための図である。
【図８】図８は、車両Ｖ１に付された表示情報１１１〜１１６の割り当て領域Ａ１〜Ａ６と、ユーザによる選択位置３３１〜３３３との関係を示す図である。
【図９】図９は、情報端末３００の表示部３２０に図５中のステップＳ１０９に関するウェブページ３４１が表示された様子を示す図である。
【図１０】図１０は、情報端末３００の表示部３２０に図５中のステップＳ１１０に関するウェブページ３４１が表示された様子を示す図である。
【図１１】図１１は、情報端末３００の表示部３２０に図５中のステップＳ１１０に関するウェブページ３４１が表示された様子を示す図である。
【図１２】図１２は、情報端末３００の表示部３２０に図５中のステップＳ１１１に関するウェブページ３４１が表示された様子を示す図である。
【発明を実施するための形態】
【００２４】
以下、本発明の一実施形態である画像情報提供装置及び画像情報提供システムについて、図面を用いて説明する。図１には、本発明にかかる画像情報提供システム１０の概略図が示されている。
【００２５】
図１に示される画像情報提供システム１０は、その構成要素として、撮影装置１００、情報端末３００、情報管理センタ５００及びネットワーク４００，４１０を含む。なお、図１では、便宜上、撮影装置１００及び情報端末３００をそれぞれ１つのみ示しているが、典型的には複数の撮影装置１００や複数の情報端末３００がこの画像情報提供システム１０に含まれる。必要に応じては、画像情報提供システム１０に別の構成要素を付加することもできる。或いは、情報端末３００、情報管理センタ５００及びネットワーク４１０のみによって画像情報提供システムを構築することもできる。
【００２６】
撮影装置１００は、予め定められた所定対象１１０の動画を撮影するための装置である。この撮影装置１００によって所定対象（「オブジェクト」ともいう）１１０の少なくとも動画（「動画像」又は「映像」ともいう）が得られる。この撮影装置１００は、所定対象１１０の動画に加えて静止画（「静止画像」ともいう）が得られるような構成であってもよい。この撮影装置１００は、所定のネットワーク（例えば、インターネット回線網や専用回線網等のセキュアな回線網）４００を介して一時的又は連続的に情報管理センタ５００に接続され、この情報管理センタ５００との間での情報通信が可能になっている。従って、撮影装置１００によって得られた画像情報、即ち所定対象１１０を含む画像がネットワーク４００を介して情報管理センタ５００に送信される。一方で、この撮影装置１００は、必要に応じて情報管理センタ５００からネットワーク４００を介して送信された制御信号によって制御され得る。例えば、この撮影装置１００が定点又は不定点を撮影するライブカメラとして構成される場合、情報管理センタ５００からの制御信号によってこのライブカメラの向きや焦点距離等が調節され得る。ここでいう撮影装置１００が本発明の「撮影装置」に相当する。
【００２７】
所定対象１１０として、例えば車両、人物、建物、看板、装飾品、動植物等が挙げられる。車両の典型例として、自動車、自転車、バス、電車等の鉄道車両、フォーミュラ１（Ｆ１）をはじめとしてレース（競技）に使用されるレース車両が挙げられる。この所定対象１１０には複数の表示情報が付されている。この表示情報として典型的には、車両に付された広告、図形、文字等の情報や、スポーツ選手のユニフォームやゼッケン（ナンバータグ）に付された広告、図形、文字等の情報が挙げられる。この表示情報は、静的な表示情報（静止画）であってもよいし、或いは動的な表示情報（動画又は映像）であってもよい。
【００２８】
情報端末３００は、所定対象１１０の画像の配信を希望するユーザが情報管理センタ５００にアクセスするために使用される。この情報端末３００は、所定のネットワーク（例えば、インターネット回線網や専用回線網等のセキュアな回線網）４１０を介して一時的又は連続的に情報管理センタ５００に接続され、この情報管理センタ５００との間での情報通信が可能になっている。この場合、ネットワーク４１０は前記のネットワーク４００と同一のものであってもよいし、或いは前記のネットワーク４００とは別のものであってもよい。この情報端末３００は、制御部３１０及び表示部３２０を含む。
【００２９】
制御部３１０（「ＥＣＵ」ともいう）は、ＣＰＵ、ＲＯＭ、ＲＡＭ等を主要構成部品とするマイクロコンピュータであり、制御部３１０自体に格納されているプログラムや、ネットワーク上のプログラムを適宜に実行することができる。表示部３２０は、情報管理センタ５００からネットワーク４１０を介して配信された画像を、制御部３１０の制御信号にしたがって表示可能な表示装置（ディスプレイ又はモニター）によって構成される。
【００３０】
情報端末３００として典型的には、携帯電話（スマートフォンを含む）や、デスクトップ型又はノート型のパーソナルコンピュータ（ＰＣ）を用いることができる。更には、ナビゲーション装置のように車両に搭載される車載機器を用いて情報端末３００を構成してもよい。この情報端末３００が本発明の「画像情報提供装置」に相当し、この情報端末３００の制御部３１０及び表示部３２０がそれぞれ、本発明の「制御部」及び「表示部」に相当する。
【００３１】
また情報端末３００は入力装置３３０を備えている。この入力装置３３０は、例えばスマートフォンの場合は、表示部３２０のタッチパネルによって構成される。また例えばスマートフォン以外の携帯電話の場合は、表示部３２０に連接して設置された入力キーによって入力装置３３０が構成され、例えばパーソナルコンピュータの場合は、ポインティングデバイスとしてのマウス又はタッチパッドによって入力装置３３０が構成される。
【００３２】
情報管理センタ５００は、動画配信サーバ５１０及び対象情報データベース５２０を含む。動画配信サーバ５１０は、撮影装置１００によって定期的或いは連続的に撮影され、ネットワーク４００を介して送信された画像を一時的に保存した後に、或いは保存することなく情報端末３００に配信する機能を果たす。これにより、動画配信サーバ５１０からネットワーク４１０を介して情報端末３００に送信された画像は、情報端末３００側での動画検索操作又は動画再生操作によって、この情報端末３００の表示部３２０に表示される。対象情報データベース５２０は、予め設定された所定対象１１０に関する情報を蓄積する機能を果たす。この対象情報データベース５２０が本発明の「データベース」に相当する。
【００３３】
ここで、情報管理センタ５００の動画配信サーバ５１０が、ユーザの情報端末３００に画像に関する情報を提供する画像情報提供処理について具体的に説明する。なお、この画像情報提供処理の前提として、所定対象１１０の画像についての１又は複数の参照画像（所定対象１１０の画像の基準として使用される「基準画像」ともいう）が、下記の参照画像登録処理によって対象情報データベース５２０に予め登録される。
【００３４】
例えば図２に示されている車両Ｖ１は、所定対象１１０の一例であって、この車両Ｖ１についての参照画像が対象情報データベース５２０に予め登録される。この車両Ｖ１は、路面を走行可能な車両であり、予約した場所と時間での乗降が可能な乗り合いバス、所謂「オンデマンドバス」として構成されている。この車両Ｖ１の外表面（車体表面）には少なくとも９つの表示情報１１１〜１１９が付されている。これらの表示情報１１１〜１１９は、車両Ｖ１の外表面にフィルム等のラッピング材を貼り付けることによって、或いは車両Ｖ１の外表面に塗装を施すことによって、或いは静止画や動画を表示可能な表示装置を車両Ｖ１の外表面に取り付けることによって、形成され得る。これらの表示情報１１１〜１１９によって本発明の「複数の表示情報」が構成される。
【００３５】
（参照画像登録処理）
参照画像登録処理は、１又は複数の所定対象１１０のそれぞれについての１又は複数の参照画像を登録するための処理である。この参照画像登録処理では、例えば図２中の車両Ｖ１の複数の設定面（例えば、左側面、右側面、前面、後面及び上面の計５面）についての画像がそれぞれ、車両Ｖ１についての５つの参照画像として準備される。この場合、所定対象１１０の設定面の数は、必要に応じて適宜に変更可能である。また、各参照画像についてのリンク用テンプレートが準備される。このリンク用テンプレートは、車両Ｖ１に割り当てられている複数の表示情報の割り当て領域を特定するための位置情報と各表示情報からリンクするためのリンク先情報とが関連付けられたリンクデータを含む。そして、車両Ｖ１の各参照画像がこのリンク用テンプレートとともに作成され、例えば情報端末３００からネットワーク４１０を介して対象情報データベース５２０に送信されて、当該対象情報データベース５２０に登録される。
【００３６】
リンク用テンプレートとして、図３中のリンク用テンプレートＴ１〜Ｔ５が参照される。各リンク用テンプレートは、車両Ｖ１の各設定面の参照画像に関するものであり、各設定面に割り当てられている複数の表示情報に関するリンクデータを含む。例えば、リンク用テンプレートＴ１は、車両Ｖ１の左側面に割り当てられている複数の表示情報（図２中の表示情報１１１〜１１６）に関するリンクデータを含む。
【００３７】
リンクデータの一例が図４に示されている。このリンクデータは、所定対象のそれぞれについてのデータであり、表示情報、表示情報が割り当てられている設定面、設定面における各表示情報の割り当て領域、各表示情報のスポンサー名、リンク先に関する情報を含む。このリンクデータによれば、例えば車両Ｖ１（識別ＩＤ：ＶＥ−０００１）について、「左側面」の割り当て領域「Ａ１」には、「ａａ社」に関する表示情報「１１１」が割り当てられおり、この表示情報のリンク先が「http://www.aa.co.jp/・・・/」であることが特定される。また、この車両Ｖ１の「左側面」の割り当て領域「Ａ２」には、「ｂｂ社」に関する表示情報「１１２」が割り当てられおり、この表示情報のリンク先が「http://www.bb.co.jp/・・・/」であることが特定される。この車両Ｖ１のその他の割り当て領域に割り当てられた表示情報のリンク先も同様に特定することができる。同様にして、図４に示すリンクデータから、車両Ｖ２（識別ＩＤ：ＶＥ−０００２）の割り当て領域「Ｃ１」〜「Ｃ３」のそれぞれに対応したリンク先の情報（「リンク情報」ともいう）や、車両Ｖ１，Ｖ２以外に予め定められた他の所定対象の割り当て領域に対応したリンク先の情報を得ることができる。
【００３８】
（画像情報提供処理）
図５に示す画像情報提供処理は、情報端末３００の制御部３１０（処理装置）が制御主体となって行われる。この画像情報提供処理の前提として、情報管理センタ５００の動画配信サーバ５１０から情報端末３００に画像が配信されて、その配信画像が情報端末３００の表示部３２０に表示される（図６参照）。
【００３９】
図５に示すフローチャートによれば、まずステップＳ１０１において、制御部３１０は、情報管理センタ５００の動画配信サーバ５１０からネットワーク４１０を介して配信された動画に所定対象１１０が含まれているか、換言すれば動画配信サーバ５１０から配信された動画が所定対象１１０の動画であるか否かを判定する。
【００４０】
ここでいう「所定対象１１０」は、前述のリンク用テンプレートが情報管理センタ５００の対象情報データベース５２０に予め登録されている対象（「所定オブジェクト」ともいう）として定義される。この場合、所定対象１１０のリンク用テンプレートは、動画配信サーバ５１０に保存された当該所定対象１１０の動画に紐付けされて、対象情報データベース５２０に予め登録されている。
【００４１】
ステップＳ１０１の条件を満たした場合（ステップＳ１０１のＹｅｓ）、即ち動画配信サーバ５１０から配信された動画が所定対象１１０の動画である場合にステップＳ１０２にすすむ。この場合、情報端末３００に配信されて表示部３２０に表示されている動画が所定対象１１０の動画であることが特定される。一方で、ステップＳ１０１の条件を満たしていない場合（ステップＳ１０１のＮｏ）、即ち動画配信サーバ５１０から配信された動画が所定対象１１０の動画でない場合には、そのまま当該画像情報提供処理を終了する。
【００４２】
例えば、図６に示すような動画配信サービスによって、所定対象１１０である車両Ｖ１の動画が情報端末３００に配信されて表示部３２０に表示された場合、制御部３１０は、車両Ｖ１の動画を検出することによって、動画３２１中に車両Ｖ１が含まれていると判定することができる。即ち、制御部３１０は、所定対象１１０の画像が配信されたとき（実質的に、所定対象１１０の画像が表示部３２０に表示されたとき）に、当該所定対象１１０に関する情報を取得する。これにより、例えば表示部３２０に表示されている動画３２１が車両Ｖ１の動画であることが特定される。
【００４３】
ステップＳ１０２では、制御部３１０は、所定対象１１０の動画に紐付けされているリンク用テンプレートを情報管理センタ５００の対象情報データベース５２０から読み出して取得する。所定対象１１０としての車両Ｖ１の場合、このリンク用テンプレートとして、例えば図３を参照しつつ前述したリンク用テンプレートＴ１〜Ｔ５を用いることができる。これにより、表示部３２０に表示されている車両Ｖ１の動画３２１がユーザによって選択される前に、この車両Ｖ１に付されている９つの表示情報１１１〜１１９に関する情報や、当該表示情報が車両Ｖ１において割り当てられている領域に関する情報が予め取得される。また、ステップＳ１０２の処理は、ステップＳ１０１の処理と同時並行的に行われてもよいし、或いは互いに時間的な間隔を隔てて行われてもよい。
【００４４】
ステップＳ１０３では、制御部３１０は、表示部３２０に表示された所定対象１１０が動画上でユーザによって選択される選択操作があったか否かを判定する。この選択操作として典型的には、情報端末３００の表示部３２０に画像が表示された所定対象１１０を画面上でタップ（タッチ）する操作、或いはクリックする操作が挙げられる。この操作は、情報端末３００に設けられた前述の入力装置３３０を用いて行われる。即ち、この入力装置３３０は、表示部３２０に画像が表示された所定対象１１０を画面上で選択操作可能な装置であり、本発明の「入力装置」に相当する。この場合、表示部３２０に表示された所定対象１１０が占める領域の全部又は一部が、ユーザによる選択操作によって選択された選択位置と合致するのが好ましい。例えば図６に示す動画３２１の場合、所定対象１１０としての車両Ｖ１の占める領域の一部がユーザによって選択操作されてもよいし、或いはユーザによる選択位置にこの車両Ｖ１の占める領域の全体が含まれていてもよい。
【００４５】
ステップＳ１０３の条件を満たす場合（ステップＳ１０３のＹｅｓ）、即ち表示部３２０に表示された所定対象１１０が動画上でユーザによって選択操作された場合にステップＳ１０４にすすむ。一方で、ステップＳ１０３の条件を満たしていない場合（ステップＳ１０３のＮｏ）、即ち表示部３２０に表示された所定対象１１０が動画上でユーザによって選択操作されなかった場合にそのまま当該画像情報提供処理を終了する。
【００４６】
なお、このステップ１０３の条件を満たした場合に前述のステップＳ１０２を行い、その後にステップＳ１０４にすすむような変更例を採用することもできる。この場合は、表示部３２０に表示された所定対象１１０が動画上でユーザによって選択操作されたことをトリガにして、当該所定対象１１０のリンク用テンプレートが取得される。その結果、制御部３１０は、所定対象１１０の画像が配信されたとき（実質的に、所定対象１１０の画像が表示部３２０に表示されたとき）に、当該所定対象１１０に関する情報を取得し、その後に所定対象１１０が表示部３２０の画面上で選択されたときに、車両Ｖ１に付されている表示情報１１１〜１１９に関する情報を取得する。これにより、所定対象１１０の選択操作前に、所定対象１１０のリンク用テンプレートを予め取得する必要がない。その結果、表示情報１１１〜１１９に関する情報を予め読み込まなくてもよいため、当該情報を制御部３１０に一時的に蓄積するのに必要なメモリ容量を抑えることができ、制御部３１０の処理負荷を抑えることができる。一方で、図５に示すようにステップ１０１の条件を満たした場合にステップＳ１０２を行う場合には、ステップＳ１０３の判定前に既に所定対象１１０のリンク用テンプレート（即ち、表示情報１１１〜１１９に関する情報）を取得しているため、ステップＳ１０３の条件を満たした場合に、取得した情報を使用して速やかにステップＳ１０４の処理に移行することができる。
【００４７】
別の変更例として、情報端末３００に配信される可能性の高い所定対象がある場合、或いは情報端末３００に配信されることが予定されている所定対象がある場合には、制御部３１０は、当該所定対象に関する情報（例えば、前記のリンク用テンプレート）をステップＳ１０１よりも前に、即ち当該所定対象の画像が配信される前に、情報管理センタ５００の対象情報データベース５２０から読み出して取得することができる。これにより、当該所定対象の特定後の処理を速やかに遂行することができる。
【００４８】
ステップＳ１０４では、制御部３１０は、所定対象１１０の各部位のうちユーザが選択した選択位置が、予め設定された設定面のうちのいずれに対応しているかを特定する。この目的のために、所定対象１１０の向き、角度、大きさなどを考慮し、当該所定対象１１０の画像と各設定面について予め登録されている参照画像とのマッチング処理（照合処理）を行うのが好ましい。例えば図７に示すような動画３２１において、所定対象１１０としての車両Ｖ１の選択位置３３１，３３２，３３３をそれぞれユーザはタップ操作（選択操作）によって選択することができる。この場合、これらの選択位置３３１，３３２，３３３はいずれも、車両Ｖ１についての上述の５つの設定面のうちの左側面に属している。従って、例えばステップＳ１０３で選択位置３３１，３３２，３３３のいずれかが選択された場合、このステップＳ１０４によれば、ユーザによる選択位置に対応した設定面が車両Ｖ１の左側面であることが特定される。
【００４９】
ステップＳ１０５では、制御部３１０は、ステップＳ１０４に引き続いて、所定対象１１０の動画上でのユーザの選択位置が、ステップＳ１０２で取得したリンク用テンプレート上のどの位置に対応しているかを特定する。例えば図７に示すような動画３２１の場合、選択位置３３１，３３２，３３３が属する設定面がいずれも車両Ｖ１の左側面であるため、いずれの場合もこの左側面についてのリンク用テンプレート、即ち図８中のリンク用テンプレートＴ１が特定される。そして、前述のマッチング処理を適用することによって、このリンク用テンプレートＴ１上で選択位置３３１，３３２，３３３のそれぞれがどの領域に対応しているかが特定される。リンク用テンプレートＴ１の場合、選択位置３３１は車両Ｖ１の左側面の割り当て領域Ａ１に対応していることが特定される。また選択位置３３２は割り当て領域Ａ１〜Ａ６のいずれにも対応していないことが特定される。また選択位置３３３は４つの割り当て領域Ａ３〜Ａ６のいずれにも対応していることが特定される。
【００５０】
ステップＳ１０６では、制御部３１０は、ステップＳ１０５に引き続いて、所定対象１１０における動画上のユーザの選択位置に動的な表示情報が含まれるか否かを判定する。ステップＳ１０６の条件を満たす場合（ステップＳ１０６のＹｅｓ）、即ちユーザの選択位置に動的な表示情報が含まれると判定した場合にはステップＳ２０１にすすみ、そうでない場合（ステップＳ１０６のＮｏ）、即ちユーザの選択位置に動的な表示情報が含まれないと判定した場合にはステップＳ１０７にすすむ。ここでいう「動的な表示情報」とは、表示情報自体が動きを伴うもの、即ち動画からなる表示情報をいう。従って、動画を表示可能な表示装置を備えた所定対象１１０の動画において、表示装置の動画をユーザがタップ等によって選択操作した場合に、ユーザの選択位置に動的な表示情報が含まれると判定される。
【００５１】
ステップＳ１０７では、制御部３１０は、ユーザの選択位置に対応した領域に、リンク先（典型的には、インターネット上の住所であるＵＲＬ（Uniform
Resource Locator）等）に関する情報が設定されているか否かを判定する。ステップＳ１０７の条件を満たす場合（ステップＳ１０７のＹｅｓ）、即ちリンク先があると判定した場合にはステップＳ１０８にすすみ、そうでない場合（ステップＳ１０７のＮｏ）、即ちリンク先がないと判定した場合にはステップＳ１１０にすすむ。
【００５２】
例えば図８中のリンク用テンプレートＴ１では、選択位置３３１の一部が割り当て領域Ａ１に合致しており、また選択位置３３３の一部が割り当て領域Ａ３〜Ａ６の全てに合致しているため、当該割り当て領域にリンクするリンク先（ＵＲＬ）が存在する。従って、ユーザが選択位置３３１や選択位置３３３を選択した場合には、当該選択位置に対応したリンク先があるため、制御部３１０は、ステップＳ１０７の条件を満たしていると判定する。
【００５３】
ユーザが選択位置３３１を選択した場合、制御部３１０は、選択位置３３１と合致した割り当て領域Ａ１にある表示情報１１１を特定するのが好ましい。同様に、ユーザが選択位置３３３を選択した場合、制御部３１０は、選択位置３３３と合致した割り当て領域Ａ３〜Ａ６にある表示情報１１１〜１１６を特定するのが好ましい。この場合、制御部３１０は、車両Ａ１（所定対象１１０）に付された複数の表示情報のうち表示部３２０の画面上で選択位置と合致した領域にある表示情報を特定する特定手段として構成される。これにより、制御部３１０は、ユーザによる選択位置にある表示情報を正確に特定して、この表示情報に関する情報を出力することができる。
【００５４】
一方で、リンク用テンプレートＴ１では、選択位置３３２は割り当て領域Ａ１〜Ａ６のいずれにも合致していない。従って、ユーザが選択位置３３１を選択した場合、制御部３１０は、車両Ａ１（所定対象１１０）に付された複数の表示情報の中から表示部３２０の画面上で選択位置と合致した領域にある表示情報が特定できない。この場合には当該選択位置に対応したリンク先がないため、制御部３１０は、ステップＳ１０７の条件を満たしていないと判定する。また、ユーザが選択位置３３１や選択位置３３３を選択した場合であっても、当該選択操作が不十分であり適正に認識されなかった場合には、制御部３１０は、ステップＳ１０７の条件を満たしていないと判定する。
【００５５】
ステップＳ１０８では、制御部３１０は、ステップＳ１０７に引き続いて、ユーザの選択位置に対応したリンク先が複数あるか否かを判定する。ステップＳ１０８の条件を満たす場合（ステップＳ１０８のＹｅｓ）、即ちユーザの選択位置に対応したリンク先が複数あると判定した場合にはステップＳ１１１にすすむ。一方で、ステップＳ１０８の条件を満たしていない場合（ステップＳ１０８のＮｏ）、即ちユーザの選択位置に対応したリンク先が１つのみであると判定した場合にはステップＳ１０９にすすむ。
【００５６】
例えば図８中のリンク用テンプレートＴ１では、選択位置３３３の一部が割り当て領域Ａ３〜Ａ６のいずれにも合致しており、当該割り当て領域からリンクするリンク先（ＵＲＬ）が複数存在する。従って、ユーザが選択位置３３３を選択した場合には、当該選択位置に対応したリンク先が複数あるため、制御部３１０は、ステップＳ１０８の条件を満たしていると判定する。一方で、ユーザが選択位置３３１を選択した場合には、当該選択位置に対応したリンク先が１つのみであるため、制御部３１０は、ステップＳ１０８の条件を満たしていないと判定する。
【００５７】
ステップＳ１０９では、制御部３１０は、ステップＳ１０７で特定したリンク先にリンクして、当該リンク先の情報（リンク情報）を表示するウェブページにジャンプする。これにより、例えば図９が参照されるように、１つのリンク先の情報のみを表示するウェブページ３４１が表示部３２０に表示される。リンク先の情報として、例えば対象１１０としての車両Ｖ１の割り当て領域Ａ１に割り当てられている表示情報１１１の広告主（スポンサー）である「ａａ社」の広告（「コンテンツ」ともいう）等が挙げられる。この場合の「ａａ社」の広告は、表示情報１１１に関する情報であり、且つ表示情報１１１にリンクするリンク情報である。制御部３１０は、このステップＳ１０９の実行後に当該画像情報提供処理を終了する。
【００５８】
ステップＳ１１０では、制御部３１０は、ステップＳ１０７でリンク先がないと判定したため、リンク先の情報以外の情報を表示するウェブページにジャンプする。このウェブページとして、例えば、所定対象１１０に付されている表示情報を提供している広告主のリストを表示するウェブページや、所定対象１１０の紹介先を表示するウェブページ等が挙げられる。これにより、例えば図１０が参照されるように、所定対象１１０としての車両Ｖ１に付された表示情報の広告主を表示するウェブページ３５１が表示部３２０に表示される。或いは、図１１が参照されるように、所定対象１１０としての車両Ｖ１を紹介するウェブページ３６１が表示部３２０に表示される。即ち、これらのウェブページ３５１及び３６１に記載の情報はいずれも、車両Ｖ１に付された複数の表示情報とは別の情報である。これにより、車両Ｖ１に付された表示情報が正確に特定できない場合であっても、ユーザの選択操作に見合った情報をユーザに適切に提供することができる。制御部３１０は、このステップＳ１１０の実行後に当該画像情報提供処理を終了する。
【００５９】
ステップＳ１１１では、制御部３１０は、ステップＳ１０８で特定した複数のリンク先にリンクして、当該複数のリンク先の情報を表示するウェブページにジャンプする。これにより、例えば図１２が参照されるように、４つのリンク先の情報を表示するウェブページ３７１が表示部３２０に表示される。リンク先の情報として、例えば所定対象１１０としての車両Ｖ１の割り当て領域Ａ３，Ａ４，Ａ５，Ａ６のそれぞれに割り当てられている表示情報１１３，１１４，１１５，１１６の場合、各広告主である「ｃｃ社」の広告、「ｄｄ社」の広告、「ｅｅ社」の広告、「ｆｆ社」の広告等が挙げられる。この場合の「ｃｃ社」〜「ｆｆ社」の広告はそれぞれ、表示情報１１３〜１１６のそれぞれに関する情報であり、且つ表示情報１１３〜１１６のそれぞれにリンクするリンク情報である。制御部３１０は、このステップＳ１１１の実行後に当該画像情報提供処理を終了する。なお、このステップＳ１１１や前述のステップＳ１０９では、表示部３２０にリンク情報を表示する際に、当該リンクにかかるリンク元の表示情報を併せて表示することもできる。これにより、ユーザが選択した表示情報の内容をリンク情報とともに正確に認識することができる。
【００６０】
ステップＳ２０１では、制御部３１０は、情報管理センタ５００の対象情報データベース５２０にアクセスして、この対象情報データベース５２０に予め登録されている、所定対象１１０の撮影情報を取得する。この撮影情報として、所定対象１１０が撮影された時刻、所定対象１１０が撮影された場所等の情報が挙げられる。
【００６１】
ステップＳ２０２では、制御部３１０は、情報管理センタ５００の対象情報データベース５２０にアクセスして、この対象情報データベース５２０に予め登録されている、ステップＳ２０１で取得した撮影情報に対応した広告情報を取得する。この広告情報として、広告の種類、広告の名称等が挙げられる。
【００６２】
ステップＳ２０３では、制御部３１０は、ステップＳ２０２で取得した広告情報に対応するウェブページにジャンプする。これにより、当該ウェブページの情報が表示される。このステップＳ２０３の実行後に当該画像情報提供処理を終了する。このステップＳ２０３に関連して、制御部３１０は、所定対象１１０が画面上で選択された場合に、所定対象１１０における動的な表示情報の表示に関して予め設定されたスケジュールにしたがって当該所定対象１１０の画像を表示部３２０に出力するのが好ましい。これにより、実際の所定対象１１０で表示される動的な表示情報の表示スケジュールに同期させて、即ち所定対象１１０において表示情報が動く適切なタイミングに合わせて、所定対象１１０の画像を表示部３２０に表示させることができる。
【００６３】
上記の実施形態によれば、情報端末３００は、情報管理センタ５００からネットワーク４１０を介して配信された画像を表示可能な表示部３２０と、外表面に複数の表示情報１１１〜１１９が付された所定対象１１０の画像が表示部３２０に表示された状態で所定対象１１０が画面上で選択された場合に、選択された所定対象１１０に付された複数の表示情報１１１〜１１９の中から当該選択にかかる選択位置と合致した領域にある表示情報を特定して、特定した表示情報及び当該表示情報にリンクするリンク情報の少なくとも一方の情報を出力する制御部３１０と、を含む画像情報提供装置として構成されている。
【００６４】
また、この情報端末３００の制御部３１０は、外表面に複数の表示情報１１１〜１１９が付された所定対象１１０の画像が表示部３２０に表示された状態で所定対象１１０が画面上で選択されたか否かを認識する選択認識手段と、複数の表示情報１１１〜１１９に関する情報を取得する情報取得手段と、所定対象１１０が選択されたことを前記選択認識手段が認識した場合に、前記取得手段が取得した情報を参照して前記選択にかかる選択位置に合致した領域にある表示情報を出力する出力手段と、を含む画像情報提供装置として構成されている。
【００６５】
従って、この情報端末３００を用いて図５に示す画像情報提供処理を遂行することによって、所定対象１１０の外表面に付された複数の表示情報（例えば、図２中の表示情報１１１〜１１９）を適切に特定することができる。特に、車両Ｖ１のように外表面に付された表示情報の動きが大きい場合や動きが多い場合においても、当該表示情報を適切に特定し、必要な情報をユーザに提供することができる。
【００６６】
図５に示す画像情報提供処理の変更例として、動的な表示情報を認識するステップ（ステップＳ１０６、ステップＳ２０１〜ステップＳ２０３）を省略することもできる。また、ステップＳ１０６以降の処理を省略するとともに、ステップＳ１０５で特定した選択位置に存在する表示情報を表示部３２０に表示することもできる。この場合、当該表示情報を表示部３２０に拡大して表示するのが好ましい。これにより、ユーザが選択した表示情報の内容を正確に認識することができる。
【００６７】
また、上記の実施形態の変更例又は追加例として、制御部３１０は、所定対象１１０が画面上で選択された場合に、選択された所定対象１１０の画面上での視認性に応じて複数の表示情報の出力態様を変更する手段として構成される。例えば、画面上での所定対象１１０の寸法が相対的に大きい場合や、画面上での所定対象１１０の画素数が相対的に多い（或いは、所定対象１１０の解像度が相対的に高い）場合に、この所定対象１１０の視認性が相対的に高いと判定することができる。これに対して、画面上での所定対象１１０の寸法が相対的に小さい場合や、画面上での所定対象１１０の画素数が相対的に少ない（或いは、所定対象１１０の解像度が相対的に低い）場合に、この所定対象１１０の視認性が相対的に低いと判定することができる。そこで、画面上での所定対象１１０の視認性が相対的に高い場合には、ユーザが所望の表示情報の選択を誤る可能性が低いため、複数の表示情報のうちユーザに提供する表示情報を減らして制御部３１０の処理負荷を下げることが可能である。一方で、画面上での所定対象１１０の視認性が相対的に低い場合には、ユーザが所望の表示情報の選択を誤る可能性が高いため、複数の表示情報のうちユーザに提供する表示情報を増やす必要がある。これにより、画面上での所定対象１１０の視認性に応じた適切な情報をユーザに提供することができる。
【００６８】
特に、制御部３１０は、所定対象１１０の大きさが規定寸法を下回る場合に、所定対象１１０の大きさが規定寸法を上回る場合よりも多くの表示情報を複数の表示情報の中から抽出して出力する手段として構成されるのが好ましい。或いは、制御部３１０は、所定対象１１０が表示部３２０の中で占める画素数が規定数を下回る場合に、画素数が規定数を上回る場合よりも多くの表示情報を複数の表示情報の中から抽出して出力する手段として構成されるのが好ましい。これにより、より多くの表示情報が出力される。従って、所定対象１１０の視認性が相対的に低い場合であっても、ユーザが所望する表示情報の選択を誤るのを防止することができ、ユーザの意思に沿った情報提供が可能になる。
【００６９】
上記の実施形態では、画像に関する情報を提供する画像情報提供装置が情報端末３００を用いて構成される場合について記載したが、本発明では、画像を管理する情報管理センタ５００によって画像情報提供装置が構成されてもよい。この場合、情報管理センタ５００の制御部が制御主体となって図５に示す画像情報提供処理を行うことができる。
【００７０】
上記の実施形態は、ユーザが表示部３２０の画面上で選択操作した所定対象１１０に関する情報を表示部３２０に出力する場合について記載したが、本発明では、出力される情報は、表示部３２０以外の表示装置に表示出力されてもよいし、或いは当該表示出力に代えて又は加えて、スピーカ等を用いて音声出力されてもよい。
【００７１】
上記の実施形態は、情報管理センタ５００から動画が配信される場合について記載したが、情報管理センタ５００から動画及び静止画のうちの少なくとも一方の画像が配信される技術に本発明を適用することができる。
【００７２】
上記の実施形態や種々の変更例の記載に基づいた場合、本発明では以下の各態様（アスペクト）を採り得る。
【００７３】
本発明では、
「画像に関する情報を提供するための画像情報提供方法であって、
外表面に複数の表示情報が付された所定対象の画像が表示部に表示された状態で前記所定対象が画面上で選択された場合に、選択された前記所定対象に付された前記複数の表示情報の中から当該選択にかかる選択位置と合致した領域にある表示情報を特定して、特定した表示情報及び当該表示情報にリンクするリンク情報の少なくとも一方の情報を出力し、
前記所定対象の画像が前記表示部に表示されたときに前記所定対象及び前記複数の表示情報の双方を取得して、前記選択位置と合致した領域にある表示情報を特定する、画像情報提供方法。」
という態様（態様１）を採り得る。
【００７４】
本発明では、
「画像に関する情報を提供するための画像情報提供方法であって、
外表面に複数の表示情報が付された所定対象の画像が表示部に表示された状態で前記所定対象が画面上で選択された場合に、選択された前記所定対象に付された前記複数の表示情報の中から当該選択にかかる選択位置と合致した領域にある表示情報を特定して、特定した表示情報及び当該表示情報にリンクするリンク情報の少なくとも一方の情報を出力し、
前記所定対象の画像が前記表示部に表示されたときに前記所定対象に関する情報を取得し、その後に前記所定対象が前記表示部の画面上で選択されたときに前記複数の表示情報に関する情報を取得して、前記選択位置と合致した領域にある表示情報を特定する、画像情報提供方法。」
という態様（態様２）を採り得る。
【００７５】
本発明では、
「態様１又は２に記載の画像情報提供方法であって、
前記所定対象に付された前記複数の表示情報のうち前記表示部の画面上で前記選択位置と合致した領域にある表示情報を特定する、画像情報提供方法。」
という態様（態様３）を採り得る。
【００７６】
本発明では、
「態様１〜３のうちのいずれかに記載の画像情報提供方法であって、
前記所定対象に付された前記複数の表示情報の中から前記表示部の画面上で前記選択位置と合致した領域にある表示情報が特定できない場合に、前記複数の表示情報とは別の情報を出力する、画像情報提供方法。」
という態様（態様４）を採り得る。
【００７７】
本発明では、
「画像に関する情報を提供するための画像情報提供方法であって、
外表面に複数の表示情報が付された所定対象の画像が表示部に表示された状態で前記所定対象が画面上で選択された場合に、選択された前記所定対象の画面上での視認性に応じて前記複数の表示情報の出力態様を変更する、画像情報提供方法。」
という態様（態様５）を採り得る。
【００７８】
本発明では、
「態様５に記載の画像情報提供方法であって、
選択された前記所定対象の大きさが規定寸法を下回る場合に、前記所定対象の大きさが前記規定寸法を上回る場合よりも多くの表示情報を前記複数の表示情報の中から抽出して出力することで前記複数の表示情報の出力態様を変更する、画像情報提供方法。」
という態様（態様６）を採り得る。
【００７９】
本発明では、
「態様５に記載の画像情報提供方法であって、
選択された前記所定対象が表示部の中で占める画素数が規定数を下回る場合に、前記画素数が前記規定数を上回る場合よりも多くの表示情報を前記複数の表示情報の中から抽出して出力することで前記複数の表示情報の出力態様を変更する、画像情報提供方法。」
という態様（態様７）を採り得る。
【００８０】
本発明では、
「画像に関する情報を提供するための画像情報提供方法であって、
外表面に動的な表示情報が付された所定対象の画像が表示部に表示された状態で前記所定対象が画面上で選択された場合に、前記所定対象における前記動的な表示情報の表示に関して予め設定されたスケジュールにしたがって当該所定対象の画像を前記表示部に出力する、画像情報提供方法。」
という態様（態様８）を採り得る。
【００８１】
本発明では、
「態様１〜８のうちのいずれかに記載の画像情報提供方法であって、
前記所定対象は路面を走行可能な車両であり、前記車両の外表面に前記表示情報が付されている、画像情報提供方法。」
という態様（態様９）を採り得る。
【００８２】
本発明では、
「画像に関する情報を管理する情報管理センタにネットワークを介して接続された画像情報提供装置であって、
前記情報管理センタから前記ネットワークを介して配信された画像を表示可能な表示部と、
外表面に複数の表示情報が付された所定対象の画像が前記表示部に表示された状態で前記所定対象が画面上で選択された場合に、選択された前記所定対象に付された前記複数の表示情報の中から当該選択にかかる選択位置と合致した領域にある表示情報を特定して、特定した表示情報及び当該表示情報にリンクするリンク情報の少なくとも一方の情報を出力する制御部と、
を含む、画像情報提供装置。」
という態様（態様１０）を採り得る。
【００８３】
本発明では、
「態様１０に記載の画像情報提供装置であって、
前記制御部は、前記所定対象の画像が前記情報管理センタから配信されたときに前記所定対象及び前記複数の表示情報の双方を前記情報管理センタから取得して、前記選択位置と合致した領域にある表示情報を特定する、画像情報提供装置。」
という態様（態様１１）を採り得る。
【００８４】
本発明では、
「態様１０に記載の画像情報提供装置であって、
前記制御部は、前記所定対象の画像が前記情報管理センタから配信されたときに前記所定対象に関する情報を前記情報管理センタから取得し、その後に前記所定対象が前記表示部の画面上で選択されたときに前記複数の表示情報を前記情報管理センタから取得して、前記選択位置と合致した領域にある表示情報を特定する、画像情報提供装置。」
という態様（態様１２）を採り得る。
【００８５】
本発明では、
「態様１０〜１２のうちのいずれかに記載の画像情報提供装置であって、
前記制御部は、前記所定対象に付された前記複数の表示情報のうち前記表示部の画面上で前記選択位置と合致した領域にある表示情報を特定する、画像情報提供装置。」
という態様（態様１３）を採り得る。
【００８６】
本発明では、
「態様１０〜１３のうちのいずれかに記載の画像情報提供装置であって、
前記制御部は、前記所定対象に付された前記複数の表示情報の中から前記表示部の画面上で前記選択位置と合致した領域にある表示情報が特定できない場合に、前記複数の表示情報とは別の情報を出力する、画像情報提供装置。」
という態様（態様１４）を採り得る。
【００８７】
本発明では、
「画像に関する情報を管理する情報管理センタにネットワークを介して接続された画像情報提供装置であって、
前記情報管理センタから前記ネットワークを介して配信された画像を表示可能な表示部と、
外表面に前記複数の表示情報が付された所定対象の画像が前記表示部に表示された状態で前記所定対象が画面上で選択された場合に、選択された前記所定対象の画面上での視認性に応じて前記複数の表示情報の出力態様を変更する制御部と、
含む、画像情報提供装置。」
という態様（態様１５）を採り得る。
【００８８】
本発明では、
「態様１５に記載の画像情報提供装置であって、
前記制御部は、選択された前記所定対象の大きさが規定寸法を下回る場合に、前記所定対象の大きさが前記規定寸法を上回る場合よりも多くの表示情報を前記複数の表示情報の中から抽出して出力することで前記複数の表示情報の出力態様を変更する、画像情報提供装置。」
という態様（態様１６）を採り得る。
【００８９】
本発明では、
「態様１５に記載の画像情報提供装置であって、
前記制御部は、選択された前記所定対象が表示部の中で占める画素数が規定数を下回る場合に、前記画素数が前記規定数を上回る場合よりも多くの表示情報を前記複数の表示情報の中から抽出して出力することで前記複数の表示情報の出力態様を変更する、画像情報提供装置。」
という態様（態様１７）を採り得る。
【００９０】
本発明では、
「画像に関する情報を管理する情報管理センタにネットワークを介して接続された画像情報提供装置であって、
前記情報管理センタから配信された画像を表示可能な表示部と、
外表面に動的な表示情報が付された所定対象の画像が前記表示部に表示された状態で前記所定対象が画面上で選択された場合に、前記所定対象における前記動的な表示情報の表示に関して予め設定されたスケジュールにしたがって当該所定対象の画像を前記表示部に出力する制御部と、
を含む、画像情報提供装置。」
という態様（態様１８）を採り得る。
【００９１】
本発明では、
「態様１０〜１８のうちのいずれかに記載の画像情報提供装置であって、
前記所定対象は路面を走行可能な車両であり、前記車両の外表面に前記表示情報が付されている、画像情報提供装置。」
という態様（態様１９）を採り得る。
【００９２】
本発明では、
「態様１〜１９のうちのいずれかに記載の画像情報提供装置と、
画像に関する情報を管理するとともに前記画像情報提供装置に画像を配信可能な前記情報管理センタと、
前記画像情報提供装置と前記情報管理センタとを接続するネットワークと、
を含む、画像情報提供システム。」
という態様（態様２０）を採り得る。
【００９３】
本発明では、
「態様２０に記載の画像情報提供システムであって、
前記情報管理センタは、撮影装置によって撮影された前記所定対象の画像に関する情報を前記撮影装置からネットワークを介して受信して格納するデータベースを備える、画像情報提供システム。」
という態様（態様２１）を採り得る。
【図１】
2014002259.tif 000003
【図２】
2014002259.tif 000004
【図３】
2014002259.tif 000005
【図４】
2014002259.tif 000006
【図５】
2014002259.tif 000007
【図６】
2014002259.tif 000008
【図７】
2014002259.tif 000009
【図８】
2014002259.tif 000010
【図９】
2014002259.tif 000011
【図１０】
2014002259.tif 000012
【図１１】
2014002259.tif 000013
【図１２】
2014002259.tif 000014
【国際調査報告】
2014002259.tif 000015
2014002259.tif 000016
2014002259.tif 000017
2014002259.tif 000018